(57)【特許請求の範囲】
【請求項１】
排水立て管とそれぞれ接続可能な上接続部と下接続部とを上下端に配設させた略円筒状の胴部と、
該胴部の内周面に開口されて、所定の横通路に連通可能な連通用開口と、
前記胴部の内周面側における前記連通用開口の上縁側に、前記連通用開口の全域の上方を覆うように、配置されて、上方から流下する排水の前記横通路側への逆流を防止するための逆流防止庇部と、
を備えて構成される排水管継手であって、
前記逆流防止庇部が、
前記胴部の内周面側において、前記胴部の略軸直交方向に沿い、かつ、前記胴部の軸心側に突出するように、配設されるとともに、
前記胴部の軸心側から見た前記連通用開口の中央付近の上方に、上方からの排水を集めて流下させる集水部を、配設させて、構成され、
前記集水部が、前記逆流防止庇部の上面側における前記連通用開口の中央付近上方に、下方へ凹む上面側凹部を設けて、構成されていることを特徴とする排水管継手。
【請求項２】
排水立て管とそれぞれ接続可能な上接続部と下接続部とを上下端に配設させた略円筒状の胴部と、
該胴部の内周面に開口されて、所定の横通路に連通可能な連通用開口と、
前記胴部の内周面側における前記連通用開口の上縁側に、前記連通用開口の全域の上方を覆うように、配置されて、上方から流下する排水の前記横通路側への逆流を防止するための逆流防止庇部と、
を備えて構成される排水管継手であって、
前記逆流防止庇部が、
前記胴部の内周面側において、前記胴部の略軸直交方向に沿い、かつ、前記胴部の軸心側に突出するように、配設されるとともに、
前記胴部の軸心側から見た前記連通用開口の中央付近の上方に、上方からの排水を集めて流下させる集水部を、配設させて、構成され、
前記集水部が、
前記逆流防止庇部の上方から見た前記胴部軸心側への突出端における前記連通用開口の中央付近に、前記胴部の内周面から突出させた状態として、前記突出端を前記胴部内周面側に接近させるような端面側凹部を設け、かつ、
前記逆流防止庇部の上面側における前記連通用開口の中央付近上方に、下方へ凹む上面側凹部を設けて、構成されていることを特徴とする排水管継手。
【発明の詳細な説明】
【０００１】
【発明の属する技術分野】
本発明は、多層階の建築物における上下の排水立て管の間に介在される排水管継手に関し、特に、胴部の内周面に、胴部から所定の横通路に連通可能な連通用開口が、設けられるとともに、上方から流下してくる排水がその横通路側へ逆流しないように、胴部の内周面側における連通用開口の上縁側に、逆流防止用庇部が、配設されている排水管継手に関する。
【０００２】
【従来の技術とその課題】
この種の排水管継手では、上下の排水立て管とそれぞれ接続可能な上接続部と下接続部とを上下端に配設させた略円筒状の胴部を備えるとともに、胴部の内周面側に、所定の横通路、例えば、排水機器からの排水用の横通路、に連通可能な連通用開口を、開口させていた。
【０００３】
そして、胴部の内周面側における連通用開口の上縁側には、逆流防止用庇部が、配設される場合があった。この逆流防止庇部は、上方から流下してくる排水が、横通路側に逆流しないようにするために、配設されるものであった。ちなみに、連通用開口が、立て管側から流下する多量の排水を逆流させて閉塞され、その状態で、例えば、排水機器から排水が流れた場合には、排水機器側の排水トラップの封水が、排水機器からの排水と共に下接続部側に流れ、容易に、排水トラップの封水が破れてしまう。そして、排水トラップの封水が破れれば、立て管側の臭気が室内側に流れて、好ましくない。
【０００４】
そのため、従来の逆流防止庇部は、上方から排水が流下してきても、横通路と胴部との通気状態を確保できるように、胴部内周面における連通用開口の上方側の領域で、胴部の軸心側に突出するように配設されていた。
【０００５】
そして、従来の逆流防止庇部では、連通用開口の中央付近において、横通路と胴部との通気状態を確保するように、構成されていた。
【０００６】
しかし、横通路から胴部側へ排水が流れる場合には、連通用開口における中央付近の下方側を通過して、胴部側へ流れ易い。そのため、逆流防止庇部により、連通用開口の中央付近において、横通路と胴部との通気状態を確保しても、横通路から胴部側へ排水が流れる際に、上方からの排水に対して庇部により確保していた連通用開口の中央付近の空間部位が、横通路から胴部側へ流れる排水によって、塞がれ、その結果、横通路と胴部との通気状態を、十分確保できない虞れが生じていた。
【０００７】
このような現象は、上方から流下してきた排水が、横通路側に逆流した場合でも、逆流した排水が、胴部側に戻る際、連通用開口における中央付近の下方側を通過し易いことから、生ずる虞れがあった。
【０００８】
本発明は、上記の課題を解決するもので、胴部に開口した連通用開口側の横通路と胴部との通気状態を維持する性能を、向上させることができる排水管継手を提供することを目的とする。
【０００９】
【課題を解決するための手段】
本発明に係る排水管継手は、排水立て管とそれぞれ接続可能な上接続部と下接続部とを上下端に配設させた略円筒状の胴部と、
胴部の内周面に開口されて、所定の横通路に連通可能な連通用開口と、
胴部の内周面側における連通用開口の上縁側に配置されて、上方から流下する排水の横通路側への逆流を防止するための逆流防止庇部と、
を備えて構成される排水管継手であって、
逆流防止庇部が、
胴部の内周面側において、胴部の略軸直交方向に沿い、かつ、胴部の軸心側に突出するように、配設されるとともに、
胴部の軸心側から見た連通用開口の中央付近の上方に、上方からの排水を集めて流下させる集水部を、配設させて、構成されていることを特徴とする。
そして、集水部は、逆流防止庇部の上面側における連通用開口の中央付近上方に、下方へ凹む上面側凹部を設けて、構成したり、さらに加えて、逆流防止庇部の上方から見た胴部軸心側への突出端における連通用開口の中央付近に、胴部の内周面から突出させた状態として、突出端を胴部内周面側に接近させるような端面側凹部を設けて、構成する。
【００１０】
本発明の排水管継手では、逆流防止庇部が、胴部の軸心側から見た連通用開口の中央付近の上方に、上方からの排水を集めて流下させる集水部を、備えている。そのため、流下する排水が上方から逆流防止庇部に干渉した際、庇部における連通用開口の中央付近の上方から流下して、庇部の左右両側から、流下し難くなる。
【００１１】
すなわち、庇部の左右両側の下方における連通用開口の左右両側部位には、横通路に連通する空間部位が確保される。
【００１２】
そのため、横通路から排水が胴部側に流れても、その排水は、連通用開口の中央付近の下方側を流れて、庇部によって形成された連通用開口の左右両側付近の空間部位を、閉塞し難い。
【００１３】
したがって、本発明に係る排水管継手は、胴部に開口した連通用開口側の横通路と胴部との通気状態を維持する性能を、向上させることができる。
【００１４】
そして、このような集水部は、逆流防止庇部に上面側凹部や端面側凹部を設けて構成することができ、胴部の略軸直交方向に沿った庇部の配置スペースや、あるいは、胴部の軸方向に沿った庇部の配置スペース、を増加させることなく、容易に、配設することができる。
【００１５】
また、逆流防止庇部の中央付近に上面側凹部や端面側凹部を設けて構成する排水管継手では、製造時の鋳造や型成形等に使用する型における胴部内周面側を鋳造・成形する中子に関し、胴部軸心に沿い、かつ、庇部の中央を通る分割面で、連通用開口から横通路側に延びる内周側も含めて、二つに分けて、製造することが可能となり、排水管継手の鋳造や成形に使用する型構造を簡素化できて、排水管継手の製造工数・コストを低減することができる。
【００１６】
なお、連通用開口側の横通路は、排水機器に連結される排水用横通路に限らず、例えば、胴部に、通気管を接続させる際の通気用横通路や、通路端側に掃除口を開口させた掃除用横通路でもよく、それらの横通路に連通する連通用開口における胴部内周面側の上縁側に、本発明の逆流防止庇部を配設させてもよく、それらの場合、排水トラップにおける封水の破れ防止の他に、通気管の通気性能を確保できる等の効果を得ることができる。
【００１７】
【発明の実施の形態】
以下、本発明の一実施形態を図面に基づいて説明する。
【００１８】
実施形態の排水管継手１０は、図１〜３に示すように、排水鋼管用の可撓継手タイプのものであり、排水立て管１・２とそれぞれ接続可能な上接続部２１と下接続部２２とを上下端に配設させた略円筒状の胴部１１を、備えて構成されている。上接続部２１と下接続部２２とは、それぞれ、上立て管１と下立て管２とを挿入させて停止させる段差状のストッパ部２１ａ・２２ａと、立て管１・２とボルト・ナット止め可能なフランジ部２１ｂ・２２ｂと、を備えて構成されている。
【００１９】
さらに、胴部１１の内周面１２には、横通路２７に連通可能な円形に開口した連通用開口１４が、形成されている。横通路２７は、所定の排水機器、例えば、洗面台、からの排水ＷＬを胴部１１側に流すためのものであり、胴部１１には、排水機器に連なる横枝管４を接続可能な横接続部２４が、内周面２５側を連通用開口１４に連通させて、胴部１１から突出するように、配設されている。
【００２０】
この横接続部２４は、軸心Ｃ１を胴部１１に対して直交交差させる横枝管４を、接続可能に形成されている。実施形態の場合、横接続部２４は、横枝管４を挿入させて停止させる段差状のストッパ部２４ａと、横枝管４とボルト・ナット止め可能なフランジ部２４ｂと、を備えて構成されている。
【００２１】
さらに、胴部１１の内周面１２には、逆流防止庇部１５が、配設されている。この逆流防止庇部１５は、上方から流下する排水ＷＶの横接続部２４側への流入を防止するものであり、連通用開口１４の上縁１４ａ側の胴部内周面１２から、胴部軸心Ｃ０側に突出して配設されている。この庇部１５は、略三日月形状の板形状として、胴部１１の軸心Ｃ０と直交方向に配置されるとともに、連通用開口１４の全域の上方より、左右両側を若干広く覆うように、配置されている。そして、庇部１５は、図４・５に示すように、上方から流下してくる排水ＷＶが干渉した際、左右両縁１５ｄ・１５ｅ側よりも上面１５ｂの中央１５ｃ側に排水ＷＶを集めて、連通用開口１４の中央１４ｃ付近の下方へ流下させるための集水部１６を、配設させて構成されている。集水部１６は、実施形態の場合、端面側集水凹部１７と上面側集水凹部１８とを備えて構成されている。
【００２２】
端面側集水凹部１７は、庇部１５の上方から見た胴部軸心Ｃ０側への突出端１５ａが、連通用開口１４の中央１４ｃ付近の上方において、胴部１１の内周面１２から突出させた状態として、胴部内周面１２側に接近させるように、凹んで、形成されている。この集水凹部１７は、胴部軸心Ｃ０を中心として、開口中央１４ｃ付近の上方を、最も凹ませる溝１７ａを設けて、構成されている。すなわち、端面側集水凹部１７は、庇部１５における凹溝１７ａの部位が、胴部軸心Ｃ０を中心とした胴部内周面１２からの距離を、周囲の部位よりも、切り欠かれたように、小さくして、構成されている。
【００２３】
なお、庇部１５が、上方から見て、突出端１５ａを、胴部内周面１２を単に直線状に横切るように、配置させていたり、あるいは、庇部１５が、胴部軸心Ｃ０を中心として、胴部内周面１２から突出端１５ａまでの距離を一定とするように、円環状に、配置されている場合には、端面側集水凹部１７は、形成されない。すなわち、胴部軸心Ｃ０側から見て、庇部１５の胴部内周面１２側に連なる左右の縁１５ｄ・１５ｅを間にする中央１５ｃの位置付近から、上方からの排水ＷＶが集められて下方に流れるように、端面側集水凹部１７が、形成される必要がある。
【００２４】
上面側集水凹部１８は、庇部１５の上面１５ｂ側における連通用開口１４の中央１４ｃ付近上方に、左右両縁１５ｄ・１５ｅ側より下方へ凹む溝１８ａを設けるとともに、左右両縁１５ｄ・１５ｅ側から溝１８ａ側に下がる傾斜面１８ｂ・１８ｃを設けて、構成されている。
【００２５】
なお、実施形態の場合、この庇部１５は、胴部１１と一体的に形成しているが、胴部１１と別体で形成して、溶接等により、胴部１１に固着させてもよい。
【００２６】
この実施形態の排水管継手１０では、施工時、例えば、スラブＳの上方で、上・下接続部２１・２２に、上下の立て管１・２を接続させるとともに、横接続部２４に、洗面器に接続される横枝管４を接続させて、使用する。
【００２７】
この実施形態の排水管継手１０では、使用時、胴部内周面１２における横接続部２４に連通する連通用開口１４の上縁１４ａに、逆流防止庇部１５が形成されており、流下する排水ＷＶは、逆流防止庇部１５と干渉して、横接続部２４側への流入を防止される。
【００２８】
そして、実施形態の排水管継手１０は、逆流防止庇部１５が、胴部１１の軸心Ｃ０側から見た連通用開口１４の中央１４ｃ付近の上方に、上方からの排水ＷＶを集めて流下させる集水部１６を、備えている。そのため、流下する排水ＷＶが上方から逆流防止庇部１５に干渉した際、図５に示すように、庇部１５における連通用開口１４の中央１４ｃ付近の上方から流下して、庇部１５の左右両縁１５ｄ・１５ｅ側から、流下し難くなる。
【００２９】
すなわち、庇部１５の左右両縁１５ｄ・１５ｅ側の下方における連通用開口１４の左右両側の開口部位１４ｄ・１４ｅには、横通路２７に連通する空間部位ＡＬ・ＡＲが確保される。
【００３０】
そのため、横通路２７から排水ＷＬが胴部１１側に流れても、その排水ＷＬは、円形に開口している横通路２７や連通用開口１４の中央１４ｃ付近の下方側、すなわち、開口１４の下縁１４ｂ側、を流れて、庇部１５によって形成された連通用開口１４の左右の開口部位１４ｄ・１４ｅ付近の空間部位ＡＬ・ＡＲを、閉塞し難く、横通路２７と胴部１１との連通状態を維持することができる。
【００３１】
勿論、上方から流下してきた排水ＷＶが横通路２７側へ逆流し、その逆流した排水ＷＶが、再度、胴部１１側に戻る場合でも、連通用開口１４における中央１４ｃ付近の下方側（下縁１４ｂ側）を通過し易いことから、左右の空間部位ＡＬ・ＡＲは、閉塞され難い。
【００３２】
したがって、実施形態の排水管継手１０では、胴部１１に開口した連通用開口１４側の横通路２７と胴部１１との通気状態の維持性能を、向上させることができる。
【００３３】
さらに、この逆流防止庇部１５では、突出端１５ａ側と上面１５ｂ側とに、単に、二種類の凹部１７・１８を設けて、集水部１６を構成している。そのため、突出端１５ａ側の凹部１７により、胴部１１の略軸直交方向（軸心Ｃ０に直交する方向）に沿った庇部１５の配置スペースの増加を招かず、また、上面１５ｂ側の凹部１８により、胴部１１の軸方向（軸心Ｃ０）に沿った庇部１５の配置スペースの増加を招かず、容易に、庇部１５を配設することができる。
【００３４】
なお、実施形態では、逆流防止庇部１５に設けた集水部１６として、端面側集水凹部１７と上面側集水凹部１８との二種類を設けた場合を示したが、図６〜８に示す逆流防止庇部１５Ａのように、端面側集水凹部１７だけを設けたり、図９〜１１に示す逆流防止庇部１５Ｂのように、上面側集水凹部１８だけを設けてもよい。
【００３５】
さらに、凹部１７・１８は、平面で形成するばかりでなく、例えば、図１２〜１４に示すように、逆流防止庇部１５Ｃの突出端１５ａの左右方向の中央１５ｃ付近を、胴部内周面１２側に円弧状に凹ませて、弧面からなる端面側集水凹部１７を、形成してもよい。
【００３６】
また、実施形態の排水管継手１０では、横通路２７の軸心Ｃ１が、胴部１１の軸心Ｃ０に対して直線状の直交方向に配設されたものを示したが、図１５・１６に示す排水管継手１０Ａのように、横通路２７Ａの軸心Ｃ１が曲線状に配設されていてもよい。
【００３７】
さらに、逆流防止庇部１５は、図１７・１８に示すように、内周面側の部位に配置されて、塩化ビニル樹脂等の合成樹脂材料から形成される内管層１０ａと、外表面側の部位に配置されて、耐火性を有したモルタル等からなる外管層１０ｂと、の少なくとも二層構造から構成した耐火二層構造の排水管継手１０Ｂに、適用してもよい。この排水管継手１０Ｂは、横接続部２４Ｂに連通される胴部１１の内周面１２側における連通用開口１４の上縁１４ａ側に、集水部１６を備えた逆流防止庇部１５が配設されている。なお、この継手１０Ｂの上・下・横接続部２１・２２・２４Ａには、それぞれ、対応する耐火二層構造の排水立て管１Ａ・２Ａ・横枝管４Ａが、接続されることとなる。
【００３８】
さらにまた、実施形態の排水管継手１０では、可撓継手タイプのものを例示したが、図１９に示すように、直管継手タイプの排水管継手１０Ｃに、本発明を適用してもよい。この排水管継手１０Ｃでは、接続させる立て管１Ｂ・２Ｂや横枝管４Ｂを、上・下接続部２１Ａ・２２Ａや横接続部２４Ｂに押し込むだけで接続可能としている。そして、横接続部２４Ｂに連通する胴部内周面１２側の連通用開口１４の上縁１４ａ側には、逆流防止庇部１５が配設されている。
【００３９】
さらに、図２０・２１に示す排水管継手１０Ｄのように、上下の立て管１Ｂ・２Ｂを押し込むだけで接続できて、横通路２７に連なる横接続部２４に対し、ボルト・ナットを利用して、横枝管４を接続させるように構成してもよい。
【００４０】
さらにまた、図２２〜２５に示す排水管継手１０Ｅのように構成してもよい。この排水管継手１０Ｅは、排水管継手１０Ｃ・１０Ｄと同様に、上・下接続部２１Ａ・２２Ａが、上・下立て管１Ｂ・２Ｂに対して、直管継手タイプで接続させるように構成され、胴部１１の上部側が、上・下立て管１Ｂ・２Ｂの内径寸法より拡径された拡径部１１ａとし、胴部１１の下部側が、下方に向かうにつれて、内径寸法を狭めるテーパ部１１ｂとし、テーパ部１１ｂの下端が、円筒状として直線的に下方に延びる下接続部２２Ａに、接続されている。下接続部２２Ａの内径寸法は、立て管１Ｂ・２Ｂの内径寸法と一致している。
【００４１】
そして、横流路２７を形成する横接続部２４Ｃが、胴部１１側に、円形に開口する連通用開口１４を配置させ、突出端側に、円形に開口した端側開口２８を配置させて、構成されている。連通用開口１４は、胴部１１の拡径部１１ａとテーパ部１１ｂとの境界付近に開口され、連通用開口１４と端側開口２８との中心を結ぶ軸心Ｃ１は、直線状として、胴部１１の軸心Ｃ０と直交するように、配設されている。
【００４２】
さらに、端側開口２８の周囲には、取付座２９が形成され、取付座２９には、雌ねじを螺刻した二つの取付孔２９ａが形成されている。そして、この取付座２９には、蓋３２と、横枝管４Ｃを横接続部２４Ｃに接続させるアダプタ３６と、が取替え可能に、取り付けられることとなる。
【００４３】
なお、アダプタ３６は、横接続部２４Ｃの端側開口２８側の内径寸法（図例の場合には、４０φとしている）より、内径を狭めた横枝管４Ｃ（図例の場合には、内径寸法を３２φとしている）を、横接続部２４Ｃに接続させるためのものである。また、横枝管４Ｃには、洗面台からの排水ＷＬが流れることとなる。さらに、上・下立て管１Ｂ・２Ｂは、呼び径を１００φとしている。
【００４４】
蓋３２は、図２２・２４に示すように、横通路２７を閉塞する本体３３と、取付座２９に対して、ボルト３０を利用して、取付可能なフランジ部３４と、を備えて構成されている。フランジ部３４には、ボルト３０を挿通可能な取付孔３４ａが配設されている。そして、フランジ部３４の各取付孔３４ａを挿通させて、各ボルト３０を取付座２９の各取付孔２９ａに締め付ければ、蓋３２は、端側開口２８を塞ぐこととなる。そして、蓋３２が端側開口２８を塞いだ際、本体３３の胴部１１の内周面側の端面３３ａは、連通用開口１４の外周縁に対応するとともに、拡径部１１Ａの内周面とテーパ部１１ｂの内周面とに連なるように、形成されているため、上方から流下する排水ＷＶの流れを阻害しないように、配置されることとなる。なお、図２４に示す符号３１の部材は、蓋３２と横接続部２４Ｃとの間に配設されるパッキンである。
【００４５】
また、蓋３２を取り外して、端側開口２８を開口させた際には、立て管１Ｂ・２Ｂを洗浄する洗浄ノズルを入れて、配管の洗浄を行ったり、あるいは、立て管１Ｂ・２Ｂ等の点検補修時のテレスペクカメラを挿入させたり、さらに、満水試験時の満水テストボールを挿入させることもできる。
【００４６】
なお、蓋３２を取り外して端側開口２８を開口させた際に、上方から排水ＷＶが流下してきても、胴部内周面１２側の連通用開口１４の上縁１４ａには、逆流防止庇部１５が配設されていることから、開口２８から排水ＷＶが飛び出す虞れは生じ難い。特に、図例の場合には、開口１４の下縁１４ｂ付近が、胴部１１のテーパ部１１ｂの位置に配置されて、開口下縁１４ｂが、開口上縁１４ａより、胴部軸心Ｃ０側に若干位置ずれしていても、逆流防止庇部１５が配置されていることから、上立て管１Ｂ側から流下する排水ＷＶが、開口２８から飛び出す虞れは生じ難い。
【００４７】
アダプタ３６は、図２２・２５に示すように、略円筒状の本体３７と、締付リング４１と、を備えて構成されている。本体３７は、端側開口２８側の端部に、ボルト３０を利用して取付座２９に対して取付可能なフランジ部３８を備え、フランジ部３８には、ボルト３０を挿通可能な二つの取付孔３８ａが配設されている。また、本体３７の他方の端部には、締付リング４１に対応した雄ねじ部３９が、外周面に螺刻されている。
【００４８】
横枝管４Ｃを接続させる際には、予め、アダプタ本体３７に締付リング４１を組み付けておく。ちなみに、この際には、本体３７の端面３７ａと締付リング４１の鍔部４１ｂとの間に、円環状のパッキン４０を配設させておく。
【００４９】
そして、各ボルト３０を、取付孔３８ａを挿通させて、取付座２９の取付孔２９ａに螺合させて、アダプタ３６を横接続部２４Ｃに接続させる。なお、アダプタ３６と横接続部２４Ｃとの間には、パッキン３５を配設させておく。また、アダプタ３６を取り付ける際には、既に、排水管継手１０Ｅには、上・下立て管１Ｂ・２Ｂが接続されている。
【００５０】
ついで、横枝管４Ｃを締付リング４１に挿通させて、アダプタ本体３７の内周側のストッパ部３７ｂ付近まで挿入して、締付リング４１を回して締め付ければ、パッキン４０が縮径して、横枝管４Ｃが、アダプタ３６に対して、抜け不能に連結され、その結果、横枝管４Ｃが、横接続部２４Ｃに接続されることとなる。
【００５１】
そして、このように、排水管継手１０Ｅに、横枝管４Ｃ側に連なる横通路２７が配設されていても、胴部側内周面１２に開口した連通用開口１４の上縁１４ａ側には、逆流防止庇部１５が設けられていることから、継手１０等と同様に、排水ＷＶの横通路２７側への逆流を防止して、安定した横通路２７と胴部１１との通気状態を確保することができる。
【００５２】
また、この排水管継手１０Ｅでは、横枝管４Ｃ側から胴部１１側へ流れる洗面台等からの排水ＷＬの流量が少なく、上方から横通路２７内に付着する異物を流し落とし難くしている。しかし、例えば、上立て管１Ｂ側から汚物を含んだ汚水ＷＶが流下してくる場合でも、汚水ＷＶの横通路２７側への逆流が、逆流防止庇部１５によって、防止されることから、上方からの異物が、横通路２７内に付着・堆積することを、防止することができ、横通路２７内の開口面積を、安定して、維持することができる。
【００５３】
また、排水管継手１０Ｅにおいて、横接続部２４Ｃは、図２０に示す横接続部２４のように、軸心Ｃ１に沿って長くして、端側開口２８の胴部軸心Ｃ０からの距離を大きくするように、構成してもよい。なお、図２０・２１に示す排水管継手１０Ｄでも、蓋３２とアダプタ３６とを取り付けることが可能に構成されている。ちなみに、継手１０Ｄに蓋３２やアダプタ３６を取り付ける場合には、ボルト３０を止めるために、ボルト３０に対応したナットを使用する必要がある。
【００５４】
さらに、各図例の逆流防止庇部１５・１５Ａ・１５Ｂ・１５Ｃでは、中央１５ｃ付近に端面側凹部１７や上面側凹部１８を設けており、鋳造によって製造する排水管継手１０・１０Ａ・１０Ｃ・１０Ｄ・１０Ｅや、射出成形等の型成形により成形する排水管継手１０Ｂの内管層１０ａでは、鋳造や型成形等に使用する型の胴部内周面１２側を鋳造・成形する中子に関し、胴部軸心Ｃ０に沿い、かつ、庇部１５・１５Ａ・１５Ｂ・１５Ｃの中央を通る分割面ＰＬで、連通用開口１４から横通路２７・２７Ａ側に延びる内周側も含めて、二つに分けて、製造することが可能となり、排水管継手１０・１０Ａ・１０Ｂ・１０Ｃ・１０Ｄ・１０Ｅの鋳造や成形に使用する型構造を簡素化できて、排水管継手１０・１０Ａ・１０Ｂ・１０Ｃ・１０Ｄ・１０Ｅの製造工数・コストを低減することができる。なお、中子の簡素化に関して、横通路２７・２７Ａは、その軸心Ｃ１を、図１５に示すように、曲線や連通用開口１４側から上向きに配置させてもよいが、胴部軸心Ｃ０に沿い、かつ、庇部１５・１５Ａ・１５Ｂ・１５Ｃの中央を通る分割面ＰＬに沿って、設定することが望ましい。
【００５５】
さらにまた、各図例の連通用開口１４側の横通路は、排水機器に連結される排水用横通路２７・２７Ａに限らず、例えば、胴部１１に、通気管を接続させる際の通気用横通路や、通路端側に掃除口（図２４に示す端側開口２８が対応する）を開口させた掃除用横通路でもよく、それらの横通路に連通する連通用開口１４における胴部内周面１２側の上縁１４ａ側に、本発明の逆流防止庇部を配設させてもよく、それらの場合、排水トラップにおける封水の破れ防止の他に、通気管の通気性能を確保できる等の効果を得ることができる。なお、通気管を排水管継手に接続させる際には、横通路は、連通用開口側から上向きとして、直線状、若しくは、曲線状、あるいは、直線と曲線とを併用して、配置させてもよい。
【図面の簡単な説明】
【図１】本発明に係る一実施形態の排水管継手の縦断面図である。
【図２】同実施形態の排水管継手の縦断面図であり、図１のII−II部位に対応する。
【図３】同実施形態の排水管継手の横断面図であり、図１のIII−III部位に対応する。
【図４】同実施形態の排水管継手の横断面図であり、図１のIV−IV部位に対応する。
【図５】同実施形態の逆流防止庇部を示す部分斜視図である。
【図６】逆流防止庇部の変形例を示す部分斜視図である。
【図７】図６に示す逆流防止庇部の平面図である。
【図８】図６に示す逆流防止庇部の縦断面図である。
【図９】逆流防止庇部の他の変形例を示す部分斜視図である。
【図１０】図９に示す逆流防止庇部の平面図である。
【図１１】図９に示す逆流防止庇部の縦断面図である。
【図１２】逆流防止庇部のさらに他の変形例を示す部分斜視図である。
【図１３】図１２に示す逆流防止庇部の平面図である。
【図１４】図１２に示す逆流防止庇部の縦断面図である。
【図１５】実施形態の変形例の排水管継手を示す縦断面図である。
【図１６】図１５に示す排水管継手の縦断面図であり、図１５の XVI− XVI部位に対応する。
【図１７】実施形態の他の変形例の排水管継手を示す縦断面図である。
【図１８】図１７に示す排水管継手の縦断面図であり、図１７のXVIII−XVIII部位に対応する。
【図１９】実施形態のさらに他の変形例の排水管継手を示す縦断面図である。
【図２０】実施形態のさらに他の変形例の排水管継手を示す縦断面図である。
【図２１】図２０に示す排水管継手の縦断面図であり、図２０のXXI−XXI部位に対応する。
【図２２】実施形態のさらに他の排水管継手の斜視図を示す。
【図２３】図２２に示す排水管継手の縦断面図である。
【図２４】図２２に示す排水管継手の横接続部に蓋を取り付ける状態を示す分解横断面図である。
【図２５】図２２に示す排水管継手の横接続部に、横枝管を取り付ける状態を示す横断面図である。
【符号の説明】
１・１Ａ・１Ｂ・２・２Ａ・２Ｂ…排水立て管、
４・４Ａ・４Ｂ・４Ｃ…（配管）横枝管、
１０・１０Ａ・１０Ｂ・１０Ｃ・１０Ｄ・１０Ｅ…排水管継手、
１１…胴部、
１２…内周面、
１４…連通用開口、
１４ａ…上縁、
１４ｃ…中央、
１５・１５Ａ・１５Ｂ・１５Ｃ…逆流防止庇部、
１６…集水部、
１７…端面側集水凹部、
１８…上面側集水凹部、
２１…上接続部、
２２…下接続部、
２４・２４Ａ・２４Ｂ…横接続部、
２７・２７Ａ…横通路、
Ｃ０…胴部軸心、
ＷＶ…（上方からの）排水、
ＷＬ…（横通路からの）排水。
【図１】
0004152667.tif 000002
【図２】
0004152667.tif 000003
【図３】
0004152667.tif 000004
【図４】
0004152667.tif 000005
【図５】
0004152667.tif 000006
【図６】
0004152667.tif 000007
【図７】
0004152667.tif 000008
【図８】
0004152667.tif 000009
【図９】
0004152667.tif 000010
【図１０】
0004152667.tif 000011
【図１１】
0004152667.tif 000012
【図１２】
0004152667.tif 000013
【図１３】
0004152667.tif 000014
【図１４】
0004152667.tif 000015
【図１５】
0004152667.tif 000016
【図１６】
0004152667.tif 000017
【図１７】
0004152667.tif 000018
【図１８】
0004152667.tif 000019
【図１９】
0004152667.tif 000020
【図２０】
0004152667.tif 000021
【図２１】
0004152667.tif 000022
【図２２】
0004152667.tif 000023
【図２３】
0004152667.tif 000024
【図２４】
0004152667.tif 000025
【図２５】
0004152667.tif 000026